(57)【要約】  両端部が気密封止され、一端部が、管軸Ｘ方向に突出した排気管残部（３８）を有するガラス管（１２）の当該一端部に装着される口金であって、筒部（４２）と底部（４４）とからなる有底筒状をし、前記一端部に被嵌される口金本体（４６）と、口金本体（４６）に立設された一対の口金ピン（４８，５０）とを有し、口金本体（４６）は、底部（４４）中央部において管軸Ｘ方向打出し状に突起してなる、排気管残部（３８）の少なくとも一部を収納する排気管残部収納部（５２）を有し、一対の口金ピン（４８，５０）は、排気管残部収納部（５２）を間に挟んだ両側の底部（４４）部分に、管軸Ｘ方向と略平行に立設されている。
2008041515.tif 000002
【特許請求の範囲】
【請求項１】
両端部が気密封止され、少なくとも一端部が、管軸方向に突出した排気管残部を有するガラス管の当該一端部に装着される口金であって、
筒部と底部とからなる有底筒状をし、前記一端部に被嵌される口金本体と、
前記口金本体に立設された一対の口金ピンと、
を有し、
装着状態において、前記排気管残部の頂部よりも管軸方向ガラス管中央部寄りに前記口金ピンの基端部が位置する形状に前記口金本体が構成されていることを特徴とする口金。
【請求項２】
前記口金本体は、前記底部中央部において前記管軸方向打出し状に突起してなる、前記排気管残部の少なくとも一部を収納する排気管残部収納部を有し、
前記一対の口金ピンは、当該排気管残部収納部を間に挟んだ両側の前記底部部分に、前記管軸方向と略平行に立設されていることを特徴とする請求項１記載の口金。
【請求項３】
管軸方向において、前記排気管残部収納部端部よりも前記口金ピン先端の方が、ガラス管中央部側に後退していることを特徴とする請求項２記載の口金。
【請求項４】
前記口金本体は、前記排気管残部の頂部よりも管軸方向ガラス管中央部寄りの位置に、前記ガラス管の管軸と交差する方向に開設された一対のピン孔を有し、
前記一対の口金ピンはそれぞれ前記ピン孔に植設されていることを特徴とする請求項１記載の口金。
【請求項５】
前記口金本体は、前記筒部の一部がその厚み方向に膨出したボス部を有し、
前記ピン孔は当該ボス部に開設されていて、
前記口金ピンは、その一端部部分が前記ピン孔に圧入されていることを特徴とする請求項４記載の口金。
【請求項６】
前記口金本体は、前記管軸方向と交差する方向に分離可能な少なくとも２つの部材の組立体であり、
前記一対のピン孔は、一の部材に開設されていることを特徴とする請求項４または５記載の口金。
【請求項７】
前記口金本体の前記筒部は、前記管軸方向と交差する方向に後退した段差面を有し、
前記口金ピンは、前記段差面に立設されていることを特徴とする請求項４，５または６記載の口金。
【請求項８】
両端部が気密封止され、少なくとも一端部が、管軸方向に突出した排気管残部を有するガラス管の当該一端部に装着される口金であって、
筒部と底部とからなる有底筒状をし、前記一端部に被嵌される口金本体と、
前記口金本体の前記筒部に、前記管軸方向と交差する方向に立設された一対の口金ピンと、
を有することを特徴とする口金。
【請求項９】
前記口金本体は、前記筒部の一部がその厚み方向に膨出したボス部を有し、
前記ピン孔は当該ボス部に開設されていて、
前記口金ピンは、その一端部部分が前記ピン孔に圧入されていることを特徴とする請求項８記載の口金。
【請求項１０】
前記口金本体は、前記管軸方向と交差する方向に分離可能な少なくとも２つの部材の組立体であり、
前記一対のピン孔は、一の部材に開設されていることを特徴とする請求項８または９記載の口金。
【請求項１１】
前記口金本体は、前記筒部の開口側端部部分が、前記ガラス管の非封止部の一部に重ねて被嵌されることを特徴とする請求項８〜１０のいずれか１項に記載の口金。
【請求項１２】
前記口金本体の前記筒部は、前記管軸方向と交差する方向に後退した段差面を有し、
前記口金ピンは、前記段差面に立設されていることを特徴とする請求項８〜１１のいずれか１項に記載の口金。
【請求項１３】
両端部が気密封止され、少なくとも一端部が、管軸方向に突出した排気管残部を有するガラス管と、
前記ガラス管の前記一端部に装着された、請求項１〜１２のいずれか１項に記載の口金と、
を有することを特徴とする熱陰極放電ランプ。
【請求項１４】
液晶表示パネルと、
光源として請求項１３記載の熱陰極放電ランプを有し、前記液晶表示パネルの背面に配されたバックライトユニットと、
を備えることを特徴とする液晶ディスプレイ装置。
【発明の詳細な説明】
【技術分野】
【０００１】
本発明は、口金等に関し、特に、気密封止されたガラス管端部に製造時に用いられた排気管が残存する熱陰極放電ランプに用いられる口金に関する。
【背景技術】
【０００２】
熱陰極放電ランプの一つである熱陰極蛍光ランプは、従来、室内照明その他の一般照明に広く用いられているが、これを、液晶ディスプレイ装置に組み込まれるバックライトユニットの光源として用いることが検討されている。この光源としては、従来、冷陰極蛍光ランプが主流であるが、液晶ディスプレイ装置の近時における大型化に伴い、ランプ効率やコスト面で優れた熱陰極蛍光ランプがその代替として見直されているからである。【０００３】
ところで、液晶ディスプレイ装置においては、画面の左右に在るいわゆる額縁部分の幅をできるだけ短くして、全体的にコンパクトなデザインにすることが重要になっている。
この額縁部分背面側に、熱陰極蛍光ランプの電極コイルから口金に至る部分が隠されている。したがって、口金の全長を短縮することができれば、その分、額縁部分の幅を短くすることができる。【０００４】
従来、熱陰極蛍光ランプの口金は、有底円筒状をした口金本体の底部から、一対の口金ピンが外方へ互いに平行に立設された構成を有している。口金は、両端が気密封止されたガラス管の端部に装着される。両端部の少なくとも一方には、製造工程で用いた排気管が残っている。この排気管残部は、封止部からガラス管の管軸方向に突出している。
口金は、気密封止されたガラス管のできるだけ奥にはめ込むことにより、熱陰極蛍光ランプの全長を短くできると共に、口金の全長も短縮できることとなる。ところが、排気管残部が存在すると、口金本体の底部が排気管残部の頂部に当接するまでが口金を嵌めこむ限界となる。【０００５】
従来、一般照明用の熱陰極蛍光ランプでは、排気管残部を加熱して軟化させ、その頂部部分をガラス管の管軸方向に押し縮める（押し込める）ことによって、排気管残部の全長を２〜３ｍｍ程度短縮している。これにより、口金の全長が短くでき、もって熱陰極蛍光ランプの全長も短縮できることとなる。
【特許文献１】特開２００３−３０８８０６号公報
【特許文献２】実開昭５５−１４６６５９号公報
【特許文献３】実開昭５５−１４８１５７号公報
【発明の開示】
【発明が解決しようとする課題】
【０００６】
しかしながら、排気管残部の短縮には限界があり、あまり押し縮め過ぎると孔が空いてしまう。排気管残部の全長分の短縮は非常に困難であり、どうしても封止部には、突出した形で排気管残部が残ってしまう。
本発明は、上記した課題に鑑み、両端が気密封止されたガラス管の排気管残部が存する端部側に装着される口金の全長のさらなる短縮化が可能な口金、そのような口金を有する熱陰極放電ランプ、および液晶ディスプレイ装置を提供することを目的とする。
【課題を解決するための手段】
【０００７】
上記の目的を達成するため、本発明に係る口金は、両端部が気密封止され、少なくとも一端部が、管軸方向に突出した排気管残部を有するガラス管の当該一端部に装着される口金であって、筒部と底部とからなる有底筒状をし、前記一端部に被嵌される口金本体と、前記口金本体に立設された一対の口金ピンとを有し、装着状態において、前記排気管残部の頂部よりも管軸方向ガラス管中央部寄りに前記口金ピンの基端部が位置する形状に前記口金本体が構成されていることを特徴とする。
【発明の効果】
【０００８】
これによれば、ガラス管の管軸方向、少なくとも口金ピンの基端部から排気管残部の頂部に至る距離分、従来よりも口金の全長の短縮が可能となる。
また、前記口金本体が、前記底部中央部において前記管軸方向打出し状に突起してなる、前記排気管残部の少なくとも一部を収納する排気管残部収納部を有し、前記一対の口金ピンを、当該排気管残部収納部を間に挟んだ両側の前記底部部分に、前記管軸方向と略平行に立設させることとすることもできる。【０００９】
これによれば、口金ピンがガラス管の管軸方向と平行に設けられている口金において、少なくとも口金ピンの基端部から排気管残部の頂部に至る距離分、従来よりも口金の全長の短縮が可能となる。
あるいは、前記口金本体が、前記排気管残部の頂部よりも管軸方向ガラス管中央部寄りの位置に、前記ガラス管の管軸と交差する方向に開設された一対のピン孔を有し、前記一対の口金ピンをそれぞれ前記ピン孔に植設することもできる。【００１０】
これによれば、少なくとも口金ピンの口金本体から露出している長さ分、従来よりも口金の全長の短縮が可能となる。
【図面の簡単な説明】
【００１１】
【図１】（ａ）は、実施形態１に係る熱陰極蛍光ランプの正面図であり、（ｂ）は、同左側面図であり、（ｃ）は同下面図であり、（ｄ）は第２口金の外観斜視図である。
【図２】図１（ｃ）におけるＡ−Ａ線断面図である。
【図３】第２口金の変形例の一例を表した外観斜視図である。
【図４】（ａ）は実施形態２に係る熱陰極蛍光ランプの正面図であり、（ｂ）は同左側面図であり、（ｃ）は、一部切断した下面図であり、（ｄ）は第２口金の外観斜視図である。
【図５】図４（ｃ）におけるＤ−Ｄ線断面図を示す。
【図６】第２口金の変形例の一例を表した外観斜視図である。
【図７】実施形態３に係る液晶ディスプレイ装置の概略構成を示す分解斜視図である。
【符号の説明】
【００１２】
１０，１００    熱陰極蛍光ランプ
１２    ガラス管
３８    排気管残部
４０，１０４    第２口金
４２，５６，１１２，１３２    筒部
４４，５８，１１４，１３４    底部
４６，６０，１１０，１３６    口金本体
４８，５０，６４，６６，１２０，１２２，１４２，１４４    口金ピン
４８Ａ，５０Ａ，１２０Ａ，１２２Ａ    基端部
３００    液晶ディスプレイ装置
３０２    液晶画面ユニット
３０４    バックライトユニット
【発明を実施するための最良の形態】
【００１３】
以下、本発明の実施形態について、熱陰極放電ランプの一種である熱陰極蛍光ランプを例に、図面を参照しながら説明する。
（実施形態１）
図１（ａ）に実施形態１に係る熱陰極蛍光ランプ１０（以下、単に「ランプ１０」と言う。）の正面図を、図１（ｂ）に同左側面図を、図１（ｃ）に同下面図を、図１（ｄ）に後述する第２口金４０の外観斜視図を、それぞれ示す。また、図２に、図１（ｃ）におけるＡ−Ａ線断面図を示す。【００１４】
図１（ａ）、（ｂ）、図２に示すように、ランプ１０は、両端が気密封止されたソーダ石灰ガラス製のガラス管１２を有する。ガラス管１２は、図１（ｃ）のＢ−Ｂ線断面図に示すように、楕円の横断面を有する直管状のガラス管である。ガラス管１２内には、水銀蒸気を供給するためのアマルガムと、希ガスとしてのアルゴンガスとが封入されている（いずれも不図示）。また、ガラス管１０の内周面には、図示しない蛍光体層が形成されている。【００１５】
ガラス管１２の両端は、ピンチ加工によって封着されている。図２において、紙面右側の封着部を第１封着部１４、紙面左側の封着部を第２封着部１６と称することとする。
第１封着部１４には、第１電極１８の第１導入線２０と第２導入線２２とが支持されている。
第１導入線２０と第２導入線２２のガラス管１２内側は、ガラスビーズ２４で束ねられている。また、第１導入線２０と第２導入線２２のガラス管１２内側の端部間には、エミッタ（不図示）の塗布されたコイル２６が架橋されている。【００１６】
第１導入線２０と第２導入線２２は、第１封着部１４からガラス管１２の外部へと導出されている。
ガラス管１２の第１封着部１４側の端部部分には、第１口金２８が装着されている。
第１口金２８は、有底筒状をした口金本体３０を有しており、口金本体３０が前記端部部分に被嵌されている。口金本体３０は、ＰＥＴ，ＰＢＴ，ＰＥＳ，ＰＰＳ等から選択される合成樹脂等の絶縁材料からなる。口金本体３０は、ガラス管１２とシリコン樹脂またはセメント（不図示）によって接着されている。【００１７】
口金本体３０の底部３０Ａには、中空の第１口金ピン３２と同じく中空の第２口金ピン３４とからなる一対の口金ピン３２，３４が、ガラス管１２の管軸Ｘ方向と略平行に植設されている。第１及び第２口金ピン３２，３４は、銅合金その他の金属からなる。
そして、ガラス管１２外部側の第１導入線２０部分が、第１口金ピン３２に挿通されている。第１口金ピン３２の中空部には、半田（不図示）が充填されていて、第１口金ピン３２と第１導入線２０との電気的な接続が図られている。また、第２導入線２２も同様にして、第２口金ピン３４との電気的な接続が図られている。なお、電気的に接続する方法は、半田に限らず、口金ピンをかしめることによって行っても構わない。【００１８】
一方、ガラス管１２の第２封着部１６側には、第２電極３６が設けられている。なお、第２電極３６は、第１電極１８と同じ構成をしているので、第２電極３６の構成部材には、第１電極１８の構成部材と同じ符号を付して、その説明については省略する。
第２封着部１６には、ランプ１０の一連の製造工程における、ガラス管１２内の排気工程で用いられた排気管の一部が残存している。ここで、ピンチ加工による第２封着部１６から突出している（延出されている）排気管の残存部分を「排気管残部３８」と称することとする。【００１９】
排気管残部３８は、ピンチ加工による第２封着部１６よりも細く（当然のことながら、ガラス管１２のストレート部外径よりも細く）、上記したように封着部１６から管軸方向に延出されている（突出している）。
ガラス管１２の第２封着部１６側の端部部分には、第２口金４０が装着されている。
第２口金４０は、筒部４２と底部４４とからなる有底筒状をした口金本体４６と、口金本体４６に立設された第１口金ピン４８および第２口金ピン５０とを有する。【００２０】
口金本体４６は、底部４４の管軸Ｘを含む中央部において、管軸Ｘ方向、打出し状に突起してなり、排気管残部３８の少なくとも一部を収納する排気管残部３８の収納部（以下、「排気管残部収納部５２」と言う。）を有する。
そして、第１口金ピン４８と第２口金ピン５０は、排気管残部収納部５２を間に挟んだ底部４４部分に、管軸Ｘと略平行に立設されている。【００２１】
このように、排気管残部収納部５２を設け、第１口金ピン４８と第２口金ピン５０の取付面４４Ａを、排気管残部３８の頂部よりも管軸Ｘ方向ガラス管１２の中央部寄りに位置させることで、口金ピン取付面４４Ａからの排気管残部収納部５２の高さ「Ｌ１」分、従来よりも、口金ピンを含む口金の全長（管軸Ｘ方向の長さ）を短縮することが可能となる。【００２２】
換言すれば、上記したようにして、排気管残部３８の頂部よりも管軸Ｘ方向ガラス管１２中央部寄りに第１口金ピン４８の基端部４８Ａと第２口金ピン５０の基端部５０Ａとが位置する形状に、口金本体４６の形状を構成することで口金の全長を短縮することが可能となる。
なお、図１、図２では、口金ピン取付面４４Ａからの、第１および第２口金ピン４８，５０の高さと排気管残部収納部５２の高さとを揃えた例を示しているが、第１および第２口金ピン４８の高さは、排気管残部収納部５２の高さよりも低い方が好ましい。換言すれば、管軸Ｘ方向において、排気管残部収納部５２端部よりも第１および第２口金ピン４８，５０先端の方が、ガラス管１２中央部側に後退していることが好ましい。このようにすることで、少なくとも管軸Ｘ方向にランプ１０が何かの障害物に衝突した際に、第１および第２口金ピン４８，５０が折損する等の事態を防止することができる。【００２３】
説明を省略したが、口金本体４６の材質は、第１口金２８の口金本体３０と同様である。また、第１および第２口金ピン４８，５０と第１および第２導入線２０，２２との接続方法は、上述した第１口金２８の場合と同様である。さらに、第２口金４０は、第１口金２８と同様、シリコン樹脂またはセメント（不図示）によってガラス管１２に接着される。
（変形例）
上記実施形態では、楕円断面をしたガラス管１２の形状に適合させるため、口金本体４６の筒部４２は、楕円の筒状に形成したが、筒部（内周）の形状は装着先のガラス管形状に合わせて適宜変更しても構わない。【００２４】
図３は、円形の横断面を有するガラス管に装着される第２口金５４の外観斜視図である。
第２口金５４は、円筒形をした筒部５６と底部５８とからなる口金本体６０を有する。口金本体６０の底部５８中央部において、管軸Ｘ方向、打出し状に突起した排気管残部収納部６２を有する。【００２５】
そして、第１口金ピン６４と第２口金ピン６６は、排気管残部収納部５２を間に挟んだ底部５８部分に、管軸Ｘと略平行に立設されている。
なお、上記実施形態１やその変形例において、排気管残部収納部の外周面に図外のソケットに装着する際の係合爪を設けても構わない（言うまでもなく、ソケットにもこの係合爪と係合する係合部を設ける必要がある。）。この場合に、排気管残部収納部の外形を実施形態１やその変形例で示した円柱状ではなく、角柱状にすれば、係合爪が設けやすくなる。
（実施形態２）
実施形態２に係る熱陰極蛍光ランプ１００（以下、単に「ランプ１００」と言う。）を、図４、図５に示す。なお、ランプ１００は、口金の形状が異なる以外は、実施形態１のランプ１０と基本的に同じ構成である。したがって、共通部分には同じ符号を付してその説明は省略し、口金を中心に説明する。【００２６】
図４（ａ）はランプ１００の正面図であり、図４（ｂ）は同左側面図であり、図４（ｃ）は同下面図であり、図４（ｄ）は後述する第２口金１０４の外観斜視図である。なお、図１（ｃ）では、第２口金１０４を図１（ａ）に示すＣ−Ｃ線で切断した状態を表している。また、図５は、図４（ｃ）におけるＤ−Ｄ線断面図を示す。
図５に示すように、ガラス管１２の第１封着部１４側の端部部分には第１口金１０２が、
第２封着部１６側の端部部分には第２口金１０４が、それぞれ装着されている。実施形態２では、第１口金１０２と第２口金１０４とは、同じ構成をしているので、第２口金１０４を代表に説明する。【００２７】
第２口金１０４は、管軸Ｘと交差する方向（本例では、略直交する方向）に分離可能な、複数の（本例では、２個の）第１部材１０６と第２部材１０８の組立体からなる口金本体１１０を有する。
第１部材１０６と第２部材１０８とは、互いに設けられた不図示の係合爪によって係合されて組立てられる。組立てられた状態で、口金本体１１０は、筒部１１２と底部１１４とからなる有底筒状をなす。なお、両部材の連結手段は、係合爪に限らず、ねじやスプリングピン等によっても構わない。【００２８】
第１部材１０６には、排気管残部３８の頂部よりも管軸Ｘ方向ガラス管１２の中央部寄りに、管軸Ｘと交差する方向（本例では、直交する方向）に開設された一対のピン孔（第１ピン孔１１６と第２ピン孔１１８）が開設されている。そして、第１ピン孔１１６には第１口金ピン１２０が、第２ピン孔１１８には第２口金ピン１２２がそれぞれ圧入状態で植設されている。これにより、第１口金ピン１２０の基端部１２０Ａと第２口金ピン１２２の基端部１２２Ａとは、排気管残部３８の頂部よりも管軸Ｘ方向ガラス管１２の中央部寄りに位置することとなる。なお、言うまでも無く両口金ピンは中空である。【００２９】
第１ピン孔１１６と第２ピン孔１１８とは、それぞれ、筒部１１２の厚み方向に膨出した第１ボス部１２４と第２ボス部１２６とにそれぞれ開設されている。こうすることにより、口金ピンの圧入代（しろ）をかせぐことができるので、口金ピンを安定して筒部１１２（第１部材１０６）に立設することができる。
また、第１部材１０６には、管軸Ｘ方向と交差する方向（本例では、略直交する方向）に後退した段差面１２８が設けられており、第１および第２口金ピン１２０，１２２は、段差面１２８に立設されている。段差面１２８を設けることにより、第２口金１０４が装着される図外のソケットと一部が（管軸Ｘ方向と直交する方向において）重なった（段差分が重なった）状態で取付られることができるので、バックライトユニットの薄型化に寄与し得る。【００３０】
そして、第２封着部１６から導出された第１導入線２０は、途中、略直角に屈曲されて第１口金ピン１２０に挿入され、第２導入線２２も同じく第２口金ピン１２２に挿入されている。第１導入線２０と第２導入線２２は、略直角に曲げて挿入しなければならないのであるが、第１部材１０６と第２部材１０８の組み立て前に、挿入を行うことにより、スムーズに当該作業をなし得る。【００３１】
また、図４（ｃ）に示すように、第２口金１０４は、筒部１１２の開口側端部部分が、ガラス管１２のストレート部（非封着部）重ねられて被嵌されている。第２封着部１６のみに重ねて被嵌することも考えられるが、ピンチ加工による封着部の形状は安定しないため、第２口金１０４のガラス管１２に対する取り付け姿勢が不安定になってしまう。そこで、実施形態では、形状の安定した前記ストレート部に重ねて被嵌することとしているのである。【００３２】
なお、第２口金１０４は、実施形態１と同様、シリコンやセメント（不図示）によってガラス管１２に接着される。
上記構成からなる第２口金１０４によれば、第１および第２口金ピン１２０，１２２が、管軸Ｘと略直交する方向に立設されているので、従来の口金より、口金全長（管軸Ｘ方向の長さ）を少なくとも、図５に示すＬ２分短縮することができる。なお、図５に一点鎖線で示す口金ピン２００は、従来の口金における口金ピン２００の立設状態を示している。【００３３】
しかも、実施形態では、第１および第２口金ピン１２０，１２２を、排気管残部３８の頂部よりも管軸Ｘ方向ガラス管１２の中央部寄りに位置させていることから、口金本体１１０の全長（管軸Ｘ方向の長さ）も可能な限り短縮することができる。
（変形例）
上記実施形態２では、楕円断面をしたガラス管１２の形状に適合させるため、口金本体１１０の筒部１１２は、楕円の筒状に形成したが、実施形態１の変形例と同様、筒部（内周）の形状は装着先のガラス管形状に合わせて適宜変更しても構わない。【００３４】
図６は、円形の横断面を有するガラス管に装着される第２口金１３０の外観斜視図である。
第２口金１３０は、開口側端部部分が円筒形をした筒部１３２と底部１３４とからなる口金本体１３６を有する。
口金本体１３６は、管軸Ｘと略直交する方向に分離可能な第１部材１３８と第２部材１４０の組立体からなる。【００３５】
そして、第１部材１３８は、管軸Ｘと略直交する方向に後退した段差面１３８Ａを有し、段差面１３８Ａに、第１口金ピン１４２および第２口金ピン１４４が、管軸Ｘと略直交する方向に立設されている。
（実施形態３）
図７に示すのは、実施形態３に係る液晶ディスプレイ装置３００の概略構成を示す分解斜視図である。【００３６】
液晶ディスプレイ装置３００は、例えば、３２［ｉｎｃｈ］液晶テレビモニターであり、図７に示すように、液晶パネル等を含む液晶画面ユニット３０２と液晶画面ユニット３０２の背面に配されたバックライトユニット３０４と点灯回路３０６とを備える。
液晶画面ユニット３０２は、液晶パネル（カラーフィルター基板、液晶、ＴＦＴ基板等）（図示せず）、駆動モジュール等（図示せず）を備え、外部からの画像信号に基づいてカラー画像を形成する。【００３７】
バックライトユニット３０４は、図７に示すように、直下方式であり、筐体３０８と、筐体３０８の内部に収納された複数本の熱陰極蛍光ランプ１０と、筐体３０８の液晶画面ユニット３０２側開口部を覆う光学シート類３１０とを備えている。
筐体３０８は、例えばポリエチレンレンテレフタレート（ＰＥＴ）樹脂製であって、その底面に銀やアルミニウムなどの金属が蒸着されて反射面３１２が形成されている。【００３８】
光学シート類３１０は、例えば、拡散シート３１０Ａとレンズシート３１０Ｂとにより構成されている。
点灯回路３０６は、バックライトユニット３０４内部の蛍光ランプ１０を点灯させる。
なお、上記の例では、バックライトユニット３０４の光源として実施形態１に係る熱陰極蛍光ランプ１０を用いたが、これに代えて、実施形態２に係る熱陰極蛍光ランプ１００を用いても構わない。【００３９】
以上、本発明を実施形態に基づいて説明してきたが、本発明は上記した形態に限られないことは勿論であり、例えば、以下のような形態とすることもできる。
（１）実施形態２では、ボス部１２４，１２６（図４（ｃ）、図５）を設けて、口金ピンを圧入することとしたが、実施形態１でも同様に、ボス部を設けても構わない。
（２）口金本体の内部形状は、装着先となるガラス管の外形に合わせることが好ましいが、口金本体の外形は、必ずしもガラス管の外形に合わせる必要はない。たとえば、円形や楕円形の横断面を有するガラス管に対し、口金の外形を、角柱状や多角柱（正多角柱を含む）状に形成しても構わない。
（３）上記実施形態では、口金本体を絶縁体である樹脂で形成したが、これに限らず、金属で形成しても構わない。そうした場合には、口金ピンの口金本体への取付部分に、樹脂等の絶縁スリーブを被嵌することにより、口金ピンと口金本体との間の電気的な絶縁を図ることとする。
（４）上記実施形態では、熱陰極蛍光ランプを例に説明したが、本発明は、熱陰極紫外線ランプにも適用可能である。熱陰極紫外線ランプは、例えば、殺菌灯として用いられ、バックライトユニットの光源として用いられるものではないが、本発明を適用した場合には、ランプ全長を従来よりも短縮できるという利点が得られる。【００４０】
なお、本発明を一般照明用の熱陰極蛍光ランプやその口金に適用した場合も、ランプ全長を従来よりも短縮できるという利点が得られることは言うまでもない。
（５）上記実施形態では、気密封止されたガラス管の一方の端部のみに排気管残部が存しているが、本発明は、ガラス管の両端部に排気管残部が存しているものにも適用可能である。
（６）上記実施形態では、ガラス管は直管状としたが、ガラス管の形状はこれに限らない。例えば、「Ｕ」字状、「コ」字状、あるいは「Ｎ」字状であっても構わない。要は、液晶ディスプレイ装置のバックライトユニットの光源として用いられた場合に、電極コイルから口金に至る部分が、画面周囲に在るいわゆる額縁に隠されるようなランプに、本発明は好適に適用できるのである。
【産業上の利用可能性】
【００４１】
本発明に係る口金は、例えば、液晶ディスプレイ装置に組み込まれる直下式バックライトユニットの光源として用いられる熱陰極蛍光ランプの口金として好適に利用可能である。
【図１】
2008041515.tif 000003
【図２】
2008041515.tif 000004
【図３】
2008041515.tif 000005
【図４】
2008041515.tif 000006
【図５】
2008041515.tif 000007
【図６】
2008041515.tif 000008
【図７】
2008041515.tif 000009
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
両端部が気密封止され、少なくとも一端部が、管軸方向に突出した排気管残部を有するガラス管の当該一端部に装着される口金であって、
筒部と底部とからなる有底筒状をし、前記一端部に被嵌される口金本体と、
前記口金本体に立設された一対の口金ピンと、
を有し、
装着状態において、前記排気管残部の頂部よりも管軸方向ガラス管中央部寄りに前記口金ピンの基端部が位置する形状に前記口金本体が構成されていることを特徴とする口金。
【請求項２】
前記口金本体は、前記底部中央部において前記管軸方向打出し状に突起してなる、前記排気管残部の少なくとも一部を収納する排気管残部収納部を有し、
前記一対の口金ピンは、当該排気管残部収納部を間に挟んだ両側の前記底部部分に、前記管軸方向と略平行に立設されていることを特徴とする請求項１記載の口金。
【請求項３】
管軸方向において、前記排気管残部収納部端部よりも前記口金ピン先端の方が、ガラス管中央部側に後退していることを特徴とする請求項２記載の口金。
【請求項４】
前記口金本体は、前記排気管残部の頂部よりも管軸方向ガラス管中央部寄りの位置に、前記ガラス管の管軸と交差する方向に開設された一対のピン孔を有し、
前記一対の口金ピンはそれぞれ前記ピン孔に植設されていることを特徴とする請求項１記載の口金。
【請求項５】
前記口金本体は、前記筒部の一部がその厚み方向に膨出したボス部を有し、
前記ピン孔は当該ボス部に開設されていて、
前記口金ピンは、その一端部部分が前記ピン孔に圧入されていることを特徴とする請求項４記載の口金。
【請求項６】
前記口金本体は、前記管軸方向と交差する方向に分離可能な少なくとも２つの部材の組立体であり、
前記一対のピン孔は、一の部材に開設されていることを特徴とする請求項４または５記載の口金。
【請求項７】
前記口金本体の前記筒部は、前記管軸方向と交差する方向に後退した段差面を有し、
前記口金ピンは、前記段差面に立設されていることを特徴とする請求項４，５または６記載の口金。
【請求項８】
両端部が気密封止され、少なくとも一端部が、管軸方向に突出した排気管残部を有するガラス管の当該一端部に装着される口金であって、
筒部と底部とからなる有底筒状をし、前記一端部に被嵌される口金本体と、
前記口金本体の前記筒部に、前記管軸方向と交差する方向に立設された一対の口金ピンと、
を有することを特徴とする口金。
【請求項９】
前記口金本体は、前記筒部の一部がその厚み方向に膨出したボス部を有し、
前記ピン孔は当該ボス部に開設されていて、
前記口金ピンは、その一端部部分が前記ピン孔に圧入されていることを特徴とする請求項８記載の口金。
【請求項１０】
前記口金本体は、前記管軸方向と交差する方向に分離可能な少なくとも２つの部材の組立体であり、
前記一対のピン孔は、一の部材に開設されていることを特徴とする請求項８または９記載の口金。
【請求項１１】
前記口金本体は、前記筒部の開口側端部部分が、前記ガラス管の非封止部の一部に重ねて被嵌されることを特徴とする請求項８〜１０のいずれか１項に記載の口金。
【請求項１２】
前記口金本体の前記筒部は、前記管軸方向と交差する方向に後退した段差面を有し、
前記口金ピンは、前記段差面に立設されていることを特徴とする請求項８〜１１のいずれか１項に記載の口金。
【請求項１３】
両端部が気密封止され、少なくとも一端部が、管軸方向に突出した排気管残部を有するガラス管と、
前記ガラス管の前記一端部に装着された、請求項１〜１２のいずれか１項に記載の口金と、
を有することを特徴とする熱陰極放電ランプ。
【請求項１４】
液晶表示パネルと、
光源として請求項１３記載の熱陰極放電ランプを有し、前記液晶表示パネルの背面に配されたバックライトユニットと、
を備えることを特徴とする液晶ディスプレイ装置。
【手続補正２】
【補正対象書類名】明細書
【補正対象項目名】全文
【補正方法】変更
【補正の内容】
【発明の詳細な説明】
【技術分野】
【０００１】
本発明は、口金等に関し、特に、気密封止されたガラス管端部に製造時に用いられた排気管が残存する熱陰極放電ランプに用いられる口金に関する。
【背景技術】
【０００２】
熱陰極放電ランプの一つである熱陰極蛍光ランプは、従来、室内照明その他の一般照明に広く用いられているが、これを、液晶ディスプレイ装置に組み込まれるバックライトユニットの光源として用いることが検討されている。この光源としては、従来、冷陰極蛍光ランプが主流であるが、液晶ディスプレイ装置の近時における大型化に伴い、ランプ効率やコスト面で優れた熱陰極蛍光ランプがその代替として見直されているからである。
【０００３】
ところで、液晶ディスプレイ装置においては、画面の左右に在るいわゆる額縁部分の幅をできるだけ短くして、全体的にコンパクトなデザインにすることが重要になっている。
この額縁部分背面側に、熱陰極蛍光ランプの電極コイルから口金に至る部分が隠されている。したがって、口金の全長を短縮することができれば、その分、額縁部分の幅を短くすることができる。
【０００４】
従来、熱陰極蛍光ランプの口金は、有底円筒状をした口金本体の底部から、一対の口金ピンが外方へ互いに平行に立設された構成を有している。口金は、両端が気密封止されたガラス管の端部に装着される。両端部の少なくとも一方には、製造工程で用いた排気管が残っている。この排気管残部は、封止部からガラス管の管軸方向に突出している。
口金は、気密封止されたガラス管のできるだけ奥にはめ込むことにより、熱陰極蛍光ランプの全長を短くできると共に、口金の全長も短縮できることとなる。ところが、排気管残部が存在すると、口金本体の底部が排気管残部の頂部に当接するまでが口金を嵌めこむ限界となる。
【０００５】
従来、一般照明用の熱陰極蛍光ランプでは、排気管残部を加熱して軟化させ、その頂部部分をガラス管の管軸方向に押し縮める（押し込める）ことによって、排気管残部の全長を２〜３ｍｍ程度短縮している。これにより、口金の全長が短くでき、もって熱陰極蛍光ランプの全長も短縮できることとなる。
【特許文献１】特開２００３−３０８８０６号公報
【特許文献２】実開昭５５−１４６６５９号公報
【特許文献３】実開昭５５−１４８１５７号公報
【発明の開示】
【発明が解決しようとする課題】
【０００６】
しかしながら、排気管残部の短縮には限界があり、あまり押し縮め過ぎると孔が空いてしまう。排気管残部の全長分の短縮は非常に困難であり、どうしても封止部には、突出した形で排気管残部が残ってしまう。
本発明は、上記した課題に鑑み、両端が気密封止されたガラス管の排気管残部が存する端部側に装着される口金の全長のさらなる短縮化が可能な口金、そのような口金を有する熱陰極放電ランプ、および液晶ディスプレイ装置を提供することを目的とする。
【課題を解決するための手段】
【０００７】
上記の目的を達成するため、本発明に係る口金は、両端部が気密封止され、少なくとも一端部が、管軸方向に突出した排気管残部を有するガラス管の当該一端部に装着される口金であって、筒部と底部とからなる有底筒状をし、前記一端部に被嵌される口金本体と、前記口金本体に立設された一対の口金ピンとを有し、装着状態において、前記排気管残部の頂部よりも管軸方向ガラス管中央部寄りに前記口金ピンの基端部が位置する形状に前記口金本体が構成されていることを特徴とする。
【発明の効果】
【０００８】
これによれば、ガラス管の管軸方向、少なくとも口金ピンの基端部から排気管残部の頂部に至る距離分、従来よりも口金の全長の短縮が可能となる。
また、前記口金本体が、前記底部中央部において前記管軸方向打出し状に突起してなる、前記排気管残部の少なくとも一部を収納する排気管残部収納部を有し、前記一対の口金ピンを、当該排気管残部収納部を間に挟んだ両側の前記底部部分に、前記管軸方向と略平行に立設させることとすることもできる。
【０００９】
これによれば、口金ピンがガラス管の管軸方向と平行に設けられている口金において、少なくとも口金ピンの基端部から排気管残部の頂部に至る距離分、従来よりも口金の全長の短縮が可能となる。
あるいは、前記口金本体が、前記排気管残部の頂部よりも管軸方向ガラス管中央部寄りの位置に、前記ガラス管の管軸と交差する方向に開設された一対のピン孔を有し、前記一対の口金ピンをそれぞれ前記ピン孔に植設することもできる。
【００１０】
これによれば、少なくとも口金ピンの口金本体から露出している長さ分、従来よりも口金の全長の短縮が可能となる。
【発明を実施するための最良の形態】
【００１１】
以下、本発明の実施形態について、熱陰極放電ランプの一種である熱陰極蛍光ランプを例に、図面を参照しながら説明する。
（実施形態１）
図１（ａ）に実施形態１に係る熱陰極蛍光ランプ１０（以下、単に「ランプ１０」と言う。）の正面図を、図１（ｂ）に同左側面図を、図１（ｃ）に同下面図を、図１（ｄ）に後述する第２口金４０の外観斜視図を、それぞれ示す。また、図２に、図１（ｃ）におけるＡ−Ａ線断面図を示す。
【００１２】
図１（ａ）、（ｂ）、図２に示すように、ランプ１０は、両端が気密封止されたソーダ石灰ガラス製のガラス管１２を有する。ガラス管１２は、図１（ｃ）のＢ−Ｂ線断面図に示すように、楕円の横断面を有する直管状のガラス管である。ガラス管１２内には、水銀蒸気を供給するためのアマルガムと、希ガスとしてのアルゴンガスとが封入されている（いずれも不図示）。また、ガラス管１０の内周面には、図示しない蛍光体層が形成されている。
【００１３】
ガラス管１２の両端は、ピンチ加工によって封着されている。図２において、紙面右側の封着部を第１封着部１４、紙面左側の封着部を第２封着部１６と称することとする。
第１封着部１４には、第１電極１８の第１導入線２０と第２導入線２２とが支持されている。
第１導入線２０と第２導入線２２のガラス管１２内側は、ガラスビーズ２４で束ねられている。また、第１導入線２０と第２導入線２２のガラス管１２内側の端部間には、エミッタ（不図示）の塗布されたコイル２６が架橋されている。
【００１４】
第１導入線２０と第２導入線２２は、第１封着部１４からガラス管１２の外部へと導出されている。
ガラス管１２の第１封着部１４側の端部部分には、第１口金２８が装着されている。
第１口金２８は、有底筒状をした口金本体３０を有しており、口金本体３０が前記端部部分に被嵌されている。口金本体３０は、ＰＥＴ，ＰＢＴ，ＰＥＳ，ＰＰＳ等から選択される合成樹脂等の絶縁材料からなる。口金本体３０は、ガラス管１２とシリコン樹脂またはセメント（不図示）によって接着されている。
【００１５】
口金本体３０の底部３０Ａには、中空の第１口金ピン３２と同じく中空の第２口金ピン３４とからなる一対の口金ピン３２，３４が、ガラス管１２の管軸Ｘ方向と略平行に植設されている。第１及び第２口金ピン３２，３４は、銅合金その他の金属からなる。
そして、ガラス管１２外部側の第１導入線２０部分が、第１口金ピン３２に挿通されている。第１口金ピン３２の中空部には、半田（不図示）が充填されていて、第１口金ピン３２と第１導入線２０との電気的な接続が図られている。また、第２導入線２２も同様にして、第２口金ピン３４との電気的な接続が図られている。なお、電気的に接続する方法は、半田に限らず、口金ピンをかしめることによって行っても構わない。
【００１６】
一方、ガラス管１２の第２封着部１６側には、第２電極３６が設けられている。なお、第２電極３６は、第１電極１８と同じ構成をしているので、第２電極３６の構成部材には、第１電極１８の構成部材と同じ符号を付して、その説明については省略する。
第２封着部１６には、ランプ１０の一連の製造工程における、ガラス管１２内の排気工程で用いられた排気管の一部が残存している。ここで、ピンチ加工による第２封着部１６から突出している（延出されている）排気管の残存部分を「排気管残部３８」と称することとする。
【００１７】
排気管残部３８は、ピンチ加工による第２封着部１６よりも細く（当然のことながら、ガラス管１２のストレート部外径よりも細く）、上記したように封着部１６から管軸方向に延出されている（突出している）。
ガラス管１２の第２封着部１６側の端部部分には、第２口金４０が装着されている。
第２口金４０は、筒部４２と底部４４とからなる有底筒状をした口金本体４６と、口金本体４６に立設された第１口金ピン４８および第２口金ピン５０とを有する。
【００１８】
口金本体４６は、底部４４の管軸Ｘを含む中央部において、管軸Ｘ方向、打出し状に突起してなり、排気管残部３８の少なくとも一部を収納する排気管残部３８の収納部（以下、「排気管残部収納部５２」と言う。）を有する。
そして、第１口金ピン４８と第２口金ピン５０は、排気管残部収納部５２を間に挟んだ底部４４部分に、管軸Ｘと略平行に立設されている。
【００１９】
このように、排気管残部収納部５２を設け、第１口金ピン４８と第２口金ピン５０の取付面４４Ａを、排気管残部３８の頂部よりも管軸Ｘ方向ガラス管１２の中央部寄りに位置させることで、口金ピン取付面４４Ａからの排気管残部収納部５２の高さ「Ｌ１」分、従来よりも、口金ピンを含む口金の全長（管軸Ｘ方向の長さ）を短縮することが可能となる。
【００２０】
換言すれば、上記したようにして、排気管残部３８の頂部よりも管軸Ｘ方向ガラス管１２中央部寄りに第１口金ピン４８の基端部４８Ａと第２口金ピン５０の基端部５０Ａとが位置する形状に、口金本体４６の形状を構成することで口金の全長を短縮することが可能となる。
なお、図１、図２では、口金ピン取付面４４Ａからの、第１および第２口金ピン４８，５０の高さと排気管残部収納部５２の高さとを揃えた例を示しているが、第１および第２口金ピン４８の高さは、排気管残部収納部５２の高さよりも低い方が好ましい。換言すれば、管軸Ｘ方向において、排気管残部収納部５２端部よりも第１および第２口金ピン４８，５０先端の方が、ガラス管１２中央部側に後退していることが好ましい。このようにすることで、少なくとも管軸Ｘ方向にランプ１０が何かの障害物に衝突した際に、第１および第２口金ピン４８，５０が折損する等の事態を防止することができる。
【００２１】
説明を省略したが、口金本体４６の材質は、第１口金２８の口金本体３０と同様である。また、第１および第２口金ピン４８，５０と第１および第２導入線２０，２２との接続方法は、上述した第１口金２８の場合と同様である。さらに、第２口金４０は、第１口金２８と同様、シリコン樹脂またはセメント（不図示）によってガラス管１２に接着される。
（変形例）
上記実施形態では、楕円断面をしたガラス管１２の形状に適合させるため、口金本体４６の筒部４２は、楕円の筒状に形成したが、筒部（内周）の形状は装着先のガラス管形状に合わせて適宜変更しても構わない。
【００２２】
図３は、円形の横断面を有するガラス管に装着される第２口金５４の外観斜視図である。
第２口金５４は、円筒形をした筒部５６と底部５８とからなる口金本体６０を有する。口金本体６０の底部５８中央部において、管軸Ｘ方向、打出し状に突起した排気管残部収納部６２を有する。
【００２３】
そして、第１口金ピン６４と第２口金ピン６６は、排気管残部収納部５２を間に挟んだ底部５８部分に、管軸Ｘと略平行に立設されている。
なお、上記実施形態１やその変形例において、排気管残部収納部の外周面に図外のソケットに装着する際の係合爪を設けても構わない（言うまでもなく、ソケットにもこの係合爪と係合する係合部を設ける必要がある。）。この場合に、排気管残部収納部の外形を実施形態１やその変形例で示した円柱状ではなく、角柱状にすれば、係合爪が設けやすくなる。
（実施形態２）
実施形態２に係る熱陰極蛍光ランプ１００（以下、単に「ランプ１００」と言う。）を、図４、図５に示す。なお、ランプ１００は、口金の形状が異なる以外は、実施形態１のランプ１０と基本的に同じ構成である。したがって、共通部分には同じ符号を付してその説明は省略し、口金を中心に説明する。
【００２４】
図４（ａ）はランプ１００の正面図であり、図４（ｂ）は同左側面図であり、図４（ｃ）は同下面図であり、図４（ｄ）は後述する第２口金１０４の外観斜視図である。なお、図１（ｃ）では、第２口金１０４を図１（ａ）に示すＣ−Ｃ線で切断した状態を表している。また、図５は、図４（ｃ）におけるＤ−Ｄ線断面図を示す。
図５に示すように、ガラス管１２の第１封着部１４側の端部部分には第１口金１０２が、
第２封着部１６側の端部部分には第２口金１０４が、それぞれ装着されている。実施形態２では、第１口金１０２と第２口金１０４とは、同じ構成をしているので、第２口金１０４を代表に説明する。
【００２５】
第２口金１０４は、管軸Ｘと交差する方向（本例では、略直交する方向）に分離可能な、複数の（本例では、２個の）第１部材１０６と第２部材１０８の組立体からなる口金本体１１０を有する。
第１部材１０６と第２部材１０８とは、互いに設けられた不図示の係合爪によって係合されて組立てられる。組立てられた状態で、口金本体１１０は、筒部１１２と底部１１４とからなる有底筒状をなす。なお、両部材の連結手段は、係合爪に限らず、ねじやスプリングピン等によっても構わない。
【００２６】
第１部材１０６には、排気管残部３８の頂部よりも管軸Ｘ方向ガラス管１２の中央部寄りに、管軸Ｘと交差する方向（本例では、直交する方向）に開設された一対のピン孔（第１ピン孔１１６と第２ピン孔１１８）が開設されている。そして、第１ピン孔１１６には第１口金ピン１２０が、第２ピン孔１１８には第２口金ピン１２２がそれぞれ圧入状態で植設されている。これにより、第１口金ピン１２０の基端部１２０Ａと第２口金ピン１２２の基端部１２２Ａとは、排気管残部３８の頂部よりも管軸Ｘ方向ガラス管１２の中央部寄りに位置することとなる。なお、言うまでも無く両口金ピンは中空である。
【００２７】
第１ピン孔１１６と第２ピン孔１１８とは、それぞれ、筒部１１２の厚み方向に膨出した第１ボス部１２４と第２ボス部１２６とにそれぞれ開設されている。こうすることにより、口金ピンの圧入代（しろ）をかせぐことができるので、口金ピンを安定して筒部１１２（第１部材１０６）に立設することができる。
また、第１部材１０６には、管軸Ｘ方向と交差する方向（本例では、略直交する方向）に後退した段差面１２８が設けられており、第１および第２口金ピン１２０，１２２は、段差面１２８に立設されている。段差面１２８を設けることにより、第２口金１０４が装着される図外のソケットと一部が（管軸Ｘ方向と直交する方向において）重なった（段差分が重なった）状態で取付られることができるので、バックライトユニットの薄型化に寄与し得る。
【００２８】
そして、第２封着部１６から導出された第１導入線２０は、途中、略直角に屈曲されて第１口金ピン１２０に挿入され、第２導入線２２も同じく第２口金ピン１２２に挿入されている。第１導入線２０と第２導入線２２は、略直角に曲げて挿入しなければならないのであるが、第１部材１０６と第２部材１０８の組み立て前に、挿入を行うことにより、スムーズに当該作業をなし得る。
【００２９】
また、図４（ｃ）に示すように、第２口金１０４は、筒部１１２の開口側端部部分が、ガラス管１２のストレート部（非封着部）重ねられて被嵌されている。第２封着部１６のみに重ねて被嵌することも考えられるが、ピンチ加工による封着部の形状は安定しないため、第２口金１０４のガラス管１２に対する取り付け姿勢が不安定になってしまう。そこで、実施形態では、形状の安定した前記ストレート部に重ねて被嵌することとしているのである。
【００３０】
なお、第２口金１０４は、実施形態１と同様、シリコンやセメント（不図示）によってガラス管１２に接着される。
上記構成からなる第２口金１０４によれば、第１および第２口金ピン１２０，１２２が、管軸Ｘと略直交する方向に立設されているので、従来の口金より、口金全長（管軸Ｘ方向の長さ）を少なくとも、図５に示すＬ２分短縮することができる。なお、図５に一点鎖線で示す口金ピン２００は、従来の口金における口金ピン２００の立設状態を示している。
【００３１】
しかも、実施形態では、第１および第２口金ピン１２０，１２２を、排気管残部３８の頂部よりも管軸Ｘ方向ガラス管１２の中央部寄りに位置させていることから、口金本体１１０の全長（管軸Ｘ方向の長さ）も可能な限り短縮することができる。
（変形例）
上記実施形態２では、楕円断面をしたガラス管１２の形状に適合させるため、口金本体１１０の筒部１１２は、楕円の筒状に形成したが、実施形態１の変形例と同様、筒部（内周）の形状は装着先のガラス管形状に合わせて適宜変更しても構わない。
【００３２】
図６は、円形の横断面を有するガラス管に装着される第２口金１３０の外観斜視図である。
第２口金１３０は、開口側端部部分が円筒形をした筒部１３２と底部１３４とからなる口金本体１３６を有する。
口金本体１３６は、管軸Ｘと略直交する方向に分離可能な第１部材１３８と第２部材１４０の組立体からなる。
【００３３】
そして、第１部材１３８は、管軸Ｘと略直交する方向に後退した段差面１３８Ａを有し、段差面１３８Ａに、第１口金ピン１４２および第２口金ピン１４４が、管軸Ｘと略直交する方向に立設されている。
（実施形態３）
図７に示すのは、実施形態３に係る液晶ディスプレイ装置３００の概略構成を示す分解斜視図である。
【００３４】
液晶ディスプレイ装置３００は、例えば、３２［ｉｎｃｈ］液晶テレビモニターであり、図７に示すように、液晶パネル等を含む液晶画面ユニット３０２と液晶画面ユニット３０２の背面に配されたバックライトユニット３０４と点灯回路３０６とを備える。
液晶画面ユニット３０２は、液晶パネル（カラーフィルター基板、液晶、ＴＦＴ基板等）（図示せず）、駆動モジュール等（図示せず）を備え、外部からの画像信号に基づいてカラー画像を形成する。
【００３５】
バックライトユニット３０４は、図７に示すように、直下方式であり、筐体３０８と、筐体３０８の内部に収納された複数本の熱陰極蛍光ランプ１０と、筐体３０８の液晶画面ユニット３０２側開口部を覆う光学シート類３１０とを備えている。
筐体３０８は、例えばポリエチレンレンテレフタレート（ＰＥＴ）樹脂製であって、その底面に銀やアルミニウムなどの金属が蒸着されて反射面３１２が形成されている。
【００３６】
光学シート類３１０は、例えば、拡散シート３１０Ａとレンズシート３１０Ｂとにより構成されている。
点灯回路３０６は、バックライトユニット３０４内部の蛍光ランプ１０を点灯させる。
なお、上記の例では、バックライトユニット３０４の光源として実施形態１に係る熱陰極蛍光ランプ１０を用いたが、これに代えて、実施形態２に係る熱陰極蛍光ランプ１００を用いても構わない。
【００３７】
以上、本発明を実施形態に基づいて説明してきたが、本発明は上記した形態に限られないことは勿論であり、例えば、以下のような形態とすることもできる。
（１）実施形態２では、ボス部１２４，１２６（図４（ｃ）、図５）を設けて、口金ピンを圧入することとしたが、実施形態１でも同様に、ボス部を設けても構わない。
（２）口金本体の内部形状は、装着先となるガラス管の外形に合わせることが好ましいが、口金本体の外形は、必ずしもガラス管の外形に合わせる必要はない。たとえば、円形や楕円形の横断面を有するガラス管に対し、口金の外形を、角柱状や多角柱（正多角柱を含む）状に形成しても構わない。
（３）上記実施形態では、口金本体を絶縁体である樹脂で形成したが、これに限らず、金属で形成しても構わない。そうした場合には、口金ピンの口金本体への取付部分に、樹脂等の絶縁スリーブを被嵌することにより、口金ピンと口金本体との間の電気的な絶縁を図ることとする。
（４）上記実施形態では、熱陰極蛍光ランプを例に説明したが、本発明は、熱陰極紫外線ランプにも適用可能である。熱陰極紫外線ランプは、例えば、殺菌灯として用いられ、バックライトユニットの光源として用いられるものではないが、本発明を適用した場合には、ランプ全長を従来よりも短縮できるという利点が得られる。
【００３８】
なお、本発明を一般照明用の熱陰極蛍光ランプやその口金に適用した場合も、ランプ全長を従来よりも短縮できるという利点が得られることは言うまでもない。
（５）上記実施形態では、気密封止されたガラス管の一方の端部のみに排気管残部が存しているが、本発明は、ガラス管の両端部に排気管残部が存しているものにも適用可能である。
（６）上記実施形態では、ガラス管は直管状としたが、ガラス管の形状はこれに限らない。例えば、「Ｕ」字状、「コ」字状、あるいは「Ｎ」字状であっても構わない。要は、液晶ディスプレイ装置のバックライトユニットの光源として用いられた場合に、電極コイルから口金に至る部分が、画面周囲に在るいわゆる額縁に隠されるようなランプに、本発明は好適に適用できるのである。
【産業上の利用可能性】
【００３９】
本発明に係る口金は、例えば、液晶ディスプレイ装置に組み込まれる直下式バックライトユニットの光源として用いられる熱陰極蛍光ランプの口金として好適に利用可能である。
【図面の簡単な説明】
【００４０】
【図１】（ａ）は、実施形態１に係る熱陰極蛍光ランプの正面図であり、（ｂ）は、同左側面図であり、（ｃ）は同下面図であり、（ｄ）は第２口金の外観斜視図である。
【図２】図１（ｃ）におけるＡ−Ａ線断面図である。
【図３】第２口金の変形例の一例を表した外観斜視図である。
【図４】（ａ）は実施形態２に係る熱陰極蛍光ランプの正面図であり、（ｂ）は同左側面図であり、（ｃ）は、一部切断した下面図であり、（ｄ）は第２口金の外観斜視図である。
【図５】図４（ｃ）におけるＤ−Ｄ線断面図を示す。
【図６】第２口金の変形例の一例を表した外観斜視図である。
【図７】実施形態３に係る液晶ディスプレイ装置の概略構成を示す分解斜視図である。
【符号の説明】
【００４１】
１０，１００    熱陰極蛍光ランプ
１２    ガラス管
３８    排気管残部
４０，１０４    第２口金
４２，５６，１１２，１３２    筒部
４４，５８，１１４，１３４    底部
４６，６０，１１０，１３６    口金本体
４８，５０，６４，６６，１２０，１２２，１４２，１４４    口金ピン
４８Ａ，５０Ａ，１２０Ａ，１２２Ａ    基端部
３００    液晶ディスプレイ装置
３０２    液晶画面ユニット
３０４    バックライトユニット
【手続補正３】
【補正対象書類名】図面
【補正対象項目名】全図
【補正方法】変更
【補正の内容】
【図１】
2008041515.tif 000010
【図２】
2008041515.tif 000011
【図３】
2008041515.tif 000012
【図４】
2008041515.tif 000013
【図５】
2008041515.tif 000014
【図６】
2008041515.tif 000015
【図７】
2008041515.tif 000016
【国際調査報告】
2008041515.tif 000017
2008041515.tif 000018
2008041515.tif 000019
2008041515.tif 000020